(57)【要約】【課題】大便器の高さを調整可能にした場合にも、洗浄性能を担保しつつ、施工性を向上させた壁掛け大便器ユニット及び支持部材を提供する。【解決手段】床面から浮いた状態で大便器を設置する壁掛け大便器ユニットであって、大便器と、前記大便器に洗浄水を供給するタンクと、前記大便器を支持する便器支持部と、前記タンクを支持するタンク支持部と、を有する支持部材と、を備え、前記便器支持部は、前記床面からの高さを調整可能に前記大便器を支持し、前記タンク支持部は、前記便器支持部に設けられ、前記大便器に連動して前記タンクの高さを変化させ、前記大便器と前記タンクとの間の距離を一定に保つことを特徴とする壁掛け大便器ユニットが提供される。【選択図】図１
2017133288.tif 000002
【特許請求の範囲】
【請求項１】
床面から浮いた状態で大便器を設置する壁掛け大便器ユニットであって、
大便器と、
前記大便器に洗浄水を供給するタンクと、
前記大便器を支持する便器支持部と、前記タンクを支持するタンク支持部と、を有する支持部材と、
を備え、
前記便器支持部は、前記床面からの高さを調整可能に前記大便器を支持し、
前記タンク支持部は、前記便器支持部に設けられ、前記大便器に連動して前記タンクの高さを変化させ、前記大便器と前記タンクとの間の距離を一定に保つことを特徴とする壁掛け大便器ユニット。
【請求項２】
前記タンク及び前記支持部材を収納するキャビネットをさらに備えたことを特徴とする請求項１記載の壁掛け大便器ユニット。
【請求項３】
前記便器支持部は、前後方向を軸とする前記タンク支持部の水平を調整する水平調整機構を有することを特徴とする請求項１又は２に記載の壁掛け大便器ユニット。
【請求項４】
前記便器支持部は、前記床面に固定される固定部と、前記固定部に回転可能に設けられたボールネジと、前記ボールネジを介して前記固定部に接続された可動部と、を有し、
前記ボールネジは、上下方向に延び、
前記可動部は、前記ボールネジの回転に応じて上下方向に移動し、
前記便器支持部は、前記可動部において前記大便器を支持し、前記ボールネジの回転にともなう前記可動部の上下方向の移動により、前記大便器の前記床面からの高さを調整可能とし、
前記タンク支持部は、前記可動部に取り付けられることにより、前記大便器に連動して前記タンクの高さを変化させることを特徴とする請求項１〜３のいずれか１つに記載の壁掛け大便器ユニット。
【請求項５】
前記タンクは、洗浄水を貯水するタンク本体と、前記タンク本体に貯水された洗浄水をジェットポンプ作用を利用して前記大便器に供給するジェットポンプ機構と、を有することを特徴とする請求項１〜４のいずれか１つに記載の壁掛け大便器ユニット。
【請求項６】
床面から浮いた状態で大便器を設置する壁掛け大便器ユニットに用いられる支持部材であって、
大便器を支持する便器支持部と、
前記大便器に洗浄水を供給するタンクを支持するタンク支持部と、
を備え、
前記便器支持部は、前記床面からの高さを調整可能に前記大便器を支持し、
前記タンク支持部は、前記便器支持部に設けられ、前記大便器に連動して前記タンクの高さを変化させ、前記大便器と前記タンクとの間の距離を一定に保つことを特徴とする支持部材。
【発明の詳細な説明】
【技術分野】
【０００１】
本発明の態様は、一般的に、壁掛け大便器ユニット及び支持部材に関する。
【背景技術】
【０００２】
大便器を床面から浮かせた状態で支持し、大便器が壁面に取り付けられた外観を呈する壁掛け大便器ユニットがある。壁掛け大便器ユニットは、大便器と、大便器を支持する支持部材と、大便器に洗浄水を供給するタンクと、を備える。支持部材及びタンクは、大便器の取付壁面よりも後方に設けられ、壁面によって隠蔽される。
【０００３】
タンクは、洗浄管を介して大便器と接続される。この際、タンク及び大便器の取付施工誤差や大便器の製造誤差などにより、タンクと大便器との接続が難しくなってしまう場合がある。このため、タンクの上下方向及び前後方向の位置を調整可能にすることが提案されている（例えば、特許文献１）。
【０００４】
支持部材は、強度を確保するため、床スラブなどの建築の基礎部分に固定される。一方、大便器は、床の仕上げ材の上方に設けられる。従って、床の仕上げ厚によって、床の仕上げ面からの大便器の高さ（座面の高さ）が変化してしまう場合がある。このため、支持部材において大便器の高さを調整できるようにすることも提案されている（例えば、特許文献２）。
【０００５】
タンクは、重力を利用して大便器に洗浄水を供給するため、大便器よりも上方に配置される。このため、大便器の高さを調整すると、大便器とタンクとの間の距離が変化し、洗浄性能に影響を与えてしまうことが懸念される。
【０００６】
例えば、大便器とタンクとの間の距離が規定値よりも短くなってしまった場合には、洗浄水の流れる勢いが低くなり、洗浄性能が低下してしまう可能性が生じる。反対に、大便器とタンクとの間の距離が規定値よりも長くなってしまった場合には、洗浄水の流れる勢いが強くなり、洗浄水の一部が大便器の外側に飛び散ってしまう可能性が生じる。例えば、洗浄水が使用者にかかってしまう恐れが生じる。
【０００７】
大便器の高さとタンクの高さとを調整可能にし、大便器の高さに合わせてタンクの高さを調整することも考えられる。しかしながら、このように大便器の高さとタンクの高さとを別々に調整する方法では、施工性が低下してしまう。このため、壁掛け大便器ユニット及びこれに用いられる支持部材では、大便器の高さを調整可能にした場合にも、洗浄性能を担保でき、かつ施工性を向上できるようにすることが望まれる。
【先行技術文献】
【特許文献】
【０００８】
【特許文献１】特開２０１５−００１０８１号公報
【特許文献２】特開２００１−０７３４３７号公報
【発明の概要】
【発明が解決しようとする課題】
【０００９】
本発明は、かかる課題の認識に基づいてなされたものであり、大便器の高さを調整可能にした場合にも、洗浄性能を担保しつつ、施工性を向上させた壁掛け大便器ユニット及び支持部材を提供することを目的とする。
【課題を解決するための手段】
【００１０】
第１の発明は、床面から浮いた状態で大便器を設置する壁掛け大便器ユニットであって、大便器と、前記大便器に洗浄水を供給するタンクと、前記大便器を支持する便器支持部と、前記タンクを支持するタンク支持部と、を有する支持部材と、を備え、前記便器支持部は、前記床面からの高さを調整可能に前記大便器を支持し、前記タンク支持部は、前記便器支持部に設けられ、前記大便器に連動して前記タンクの高さを変化させ、前記大便器と前記タンクとの間の距離を一定に保つことを特徴とする壁掛け大便器ユニットである。
【００１１】
この壁掛け大便器ユニットによれば、大便器とタンクとの間の距離を実質的に一定に保つことができるので、洗浄性能を担保することができる。また、大便器の高さの調整に連動してタンクの高さが変化するので、大便器の高さを調整するだけでよく、大便器の高さとタンクの高さとを別々に調整する場合に比べて、施工性を向上させることができる。従って、大便器の高さを調整可能にした場合にも、洗浄性能を担保しつつ、施工性を向上させることができる。
【００１２】
第２の発明は、第１の発明において、前記タンク及び前記支持部材を収納するキャビネットをさらに備えたことを特徴とする壁掛け大便器ユニットである。
【００１３】
この壁掛け大便器ユニットによれば、大便器及びタンクの高さを調整する機構が、キャビネット内に設けられるので、イタズラなどで大便器及びタンクの高さが変えられてしまうことを抑制することができる。
【００１４】
第３の発明は、第１又は第２の発明において、前記便器支持部は、前後方向を軸とする前記タンク支持部の水平を調整する水平調整機構を有することを特徴とする壁掛け大便器ユニットである。
【００１５】
この壁掛け大便器ユニットによれば、タンクの洗浄性能を担保するための調整を容易に行うことができる。
【００１６】
第４の発明は、第１〜第３の発明のいずれか１つにおいて、前記便器支持部は、前記床面に固定される固定部と、前記固定部に回転可能に設けられたボールネジと、前記ボールネジを介して前記固定部に接続された可動部と、を有し、前記ボールネジは、上下方向に延び、前記可動部は、前記ボールネジの回転に応じて上下方向に移動し、前記便器支持部は、前記可動部において前記大便器を支持し、前記ボールネジの回転にともなう前記可動部の上下方向の移動により、前記大便器の前記床面からの高さを調整可能とし、前記タンク支持部は、前記可動部に取り付けられることにより、前記大便器に連動して前記タンクの高さを変化させることを特徴とする壁掛け大便器ユニットである。
【００１７】
この壁掛け大便器ユニットによれば、ボールネジの回転によって大便器及びタンクの高さを容易に調整することができる。
【００１８】
第５の発明は、第１〜第４の発明のいずれか１つにおいて、前記タンクは、洗浄水を貯水するタンク本体と、前記タンク本体に貯水された洗浄水をジェットポンプ作用を利用して前記大便器に供給するジェットポンプ機構と、を有することを特徴とする壁掛け大便器ユニットである。
【００１９】
この壁掛け大便器ユニットによれば、例えば、重力のみを利用して洗浄水を供給するタンクに比べて、貯水する洗浄水の容量を少なくすることができ、タンクを小型化することができる。これにより、例えば、タンクの高さを抑え、キャビネットをコンパクトすることができる。
【００２０】
第６の発明は、床面から浮いた状態で大便器を設置する壁掛け大便器ユニットに用いられる支持部材であって、大便器を支持する便器支持部と、前記大便器に洗浄水を供給するタンクを支持するタンク支持部と、を備え、前記便器支持部は、前記床面からの高さを調整可能に前記大便器を支持し、前記タンク支持部は、前記便器支持部に設けられ、前記大便器に連動して前記タンクの高さを変化させ、前記大便器と前記タンクとの間の距離を一定に保つことを特徴とする支持部材である。
【００２１】
この支持部材によれば、大便器とタンクとの間の距離を実質的に一定に保つことができるので、洗浄性能を担保することができる。また、大便器の高さの調整に連動してタンクの高さが変化するので、大便器の高さを調整するだけでよく、大便器の高さとタンクの高さとを別々に調整する場合に比べて、施工性を向上させることができる。従って、大便器の高さを調整可能にした場合にも、洗浄性能を担保しつつ、施工性を向上させることができる。
【発明の効果】
【００２２】
本発明の態様によれば、大便器の高さを調整可能にした場合にも、洗浄性能を担保しつつ、施工性を向上させた壁掛け大便器ユニット及び支持部材が提供される。
【図面の簡単な説明】
【００２３】
【図１】実施形態に係る壁掛け大便器ユニットを表す斜視図である。
【図２】実施形態に係る壁掛け大便器ユニットを表す側面図である。
【図３】実施形態に係る支持部材を表す分解斜視図である。
【図４】実施形態に係る便器支持部を表す背面図である。
【図５】図５（ａ）及び図５（ｂ）は、実施形態に係る便器支持部及び大便器の一部を表す部分断面図である。
【図６】実施形態に係るタンクを表す説明図である。
【発明を実施するための形態】
【００２４】
以下、本発明の実施の形態について図面を参照しつつ説明する。なお、各図面中、同様の構成要素には同一の符号を付して詳細な説明は適宜省略する。
【００２５】
図１は、実施形態に係る壁掛け大便器ユニットを表す斜視図である。  
図２は、実施形態に係る壁掛け大便器ユニットを表す側面図である。  
図１及び図２に表したように、壁掛け大便器ユニット１０は、大便器１２と、タンク１４と、支持部材１６と、キャビネット１８と、を備える。壁掛け大便器ユニット１０は、トイレ空間の床面ＦＳから浮いた状態で大便器１２を設置する。壁掛け大便器ユニット１０は、例えば、大便器１２が壁面ＷＳに取り付けられた外観を形成する。ここで、床面ＦＳは、例えば、床スラブなど、建築の基礎となる部分の床面である。
【００２６】
大便器１２は、上面１２ａとボウル部１２ｂとを有する。上面１２ａは、例えば、床面ＦＳと実質的に平行となる平面である。上面１２ａは、床面ＦＳに対して傾斜していてもよいし、床面ＦＳからの高さが異なる複数の面を有していてもよい。ボウル部１２ｂは、上面１２ａから下方に凹む凹状である。
【００２７】
大便器１２の上には、図示を省略した便座や便蓋などが設けられる。使用者は、大便器１２の上に腰掛けた状態で、ボウル部１２ｂに尿や便などを排泄する。大便器１２は、ボウル部１２ｂにおいて使用者の尿や便などの排泄物を受ける。大便器１２は、換言すれば、洋式腰掛便器である。
【００２８】
ボウル部１２ｂは、図示を省略した排水トラップ管路に接続されている。ボウル部１２ｂは、排水トラップ管路や排水ソケットなどを介して排水管に接続され、排泄物などを排水管に流す。また、ボウル部１２ｂ及び排水トラップ管路は、非使用時において所定量の水をボウル部１２ｂ内に溜められるように形成されている。
【００２９】
ここで、本願明細書においては、壁面ＷＳに背を向けて大便器１２に腰掛けた使用者からみた上方、下方、前方、後方、右側方、及び左側方を、それぞれ「上方」、「下方」、「前方」、「後方」、「右側方」、及び「左側方」とする。
【００３０】
タンク１４は、洗浄管２０を介して大便器１２に接続されている。また、タンク１４は、給水管を介して水道管などの給水源に接続される。タンク１４は、給水源から供給された水を内部に貯水し、使用者の操作に応じて貯水した水を洗浄水として大便器１２に供給する。タンク１４は、大便器１２よりも上方に配置され、重力を利用して洗浄水を大便器１２に供給する。大便器１２は、タンク１４からの洗浄水の供給により、ボウル部１２ｂの排泄物などを排水管に流す。
【００３１】
支持部材１６は、大便器１２を支持する便器支持部３０と、タンク１４を支持するタンク支持部３２と、を有する。便器支持部３０は、床面ＦＳからの高さを調整可能に大便器１２を支持する。換言すれば、便器支持部３０は、大便器１２を上下方向に移動可能に支持する。タンク支持部３２は、便器支持部３０に設けられ、大便器１２に連動してタンク１４の高さを変化させ、大便器１２とタンク１４との間の距離を実質的に一定に保つ。
【００３２】
キャビネット１８は、タンク１４及び支持部材１６を収納する。キャビネット１８は、タンク１４及び支持部材１６を覆い隠す。キャビネット１８は、換言すれば、ケーシングあるいはライニングである。この例では、大便器１２を取り付ける壁面ＷＳが、キャビネット１８によって形成される。この例において、壁面ＷＳは、換言すれば、キャビネット１８の前面である。
【００３３】
この例において、キャビネット１８は、トイレ空間の天井までの高さよりも低い。キャビネット１８の高さは、例えば、トイレ空間の高さ（床面ＦＳから天井面までの高さ）と実質的に同じでもよい。
【００３４】
例えば、床面ＦＳから天井面まで連続するパネルによって、大便器１２の設置される空間と、タンク１４及び支持部材１６の設置される空間と、を仕切ってもよい。そして、このパネルの表面を大便器１２を取り付ける壁面ＷＳとしてもよい。
【００３５】
図２に表したように、床面ＦＳの上には、床仕上げ材５が設けられる。床仕上げ材５は、例えば、トイレ空間内の床面ＦＳのうちのキャビネット１８の外側の領域の略全体に設けられる。すなわち、床仕上げ材５は、トイレ空間内の床面ＦＳのうちの使用者から視認される領域の略全体に設けられる。なお、床仕上げ材５は、キャビネット１８内に入り込んでいてもよい。
【００３６】
床仕上げ材５は、弾力を有する場合がある。このため、支持部材１６を床仕上げ材５の上に固定してしまうと、例えば、大便器１２の支持性能が低下してしまう。例えば、使用者が大便器１２に腰掛けた際に、大便器１２が傾いてしまう。従って、支持部材１６は、床面ＦＳの上に直接固定される。
【００３７】
一方、大便器１２は、床仕上げ材５の上方に設けられる。このため、床仕上げ材５の厚さによって、床仕上げ材５の仕上げ面５ａ（表面）から大便器１２の上面１２ａまでの高さＨ１（座面の高さ）が変化する。高さＨ１は、例えば、３８０ｍｍ程度（３７０ｍｍ以上４４０ｍｍ以下）に設定される。
【００３８】
壁掛け大便器ユニット１０では、支持部材１６の便器支持部３０が、床面ＦＳ（仕上げ面５ａ）からの高さを調整可能に大便器１２を支持する。従って、床仕上げ材５の厚さに応じて大便器１２の高さを調整することにより、床仕上げ材５の仕上げ面５ａから大便器１２の上面１２ａまでの高さＨ１を所定の高さに設定することができる。
【００３９】
また、壁掛け大便器ユニット１０では、支持部材１６のタンク支持部３２が、大便器１２に連動してタンク１４の高さを変化させ、大便器１２とタンク１４との間の距離を実質的に一定に保つ。従って、大便器１２の高さを調整するだけでよく、大便器１２の高さとタンク１４の高さとを別々に調整する場合に比べて、施工性を向上させることができる。
【００４０】
このように、本実施形態に係る壁掛け大便器ユニット１０では、大便器１２の高さを調整可能にした場合にも、洗浄性能を担保しつつ、施工性を向上させることができる。
【００４１】
また、壁掛け大便器ユニット１０では、大便器１２及びタンク１４の高さを調整する機構が、キャビネット１８内に設けられるので、イタズラなどで大便器１２及びタンク１４の高さが変えられてしまうことを抑制することができる。
【００４２】
図３は、実施形態に係る支持部材を表す分解斜視図である。  
図３に表したように、支持部材１６の便器支持部３０は、固定部３４と可動部３６とを有する。固定部３４は、床面ＦＳに固定される。可動部３６は、固定部３４に上下方向に移動可能に取り付けられる。
【００４３】
固定部３４は、一対の支柱４１、４２と、一対のベースプレート４３、４４と、押さえ板４５〜４８と、を有する。各支柱４１、４２、及び各ベースプレート４３、４４は、それぞれ線対称な実質的に同じ形状である。
【００４４】
支柱４１、４２は、上下方向に延びる断面略Ｌ字の板状の部材である。支柱４１、４２は、前板部４１ａ、４２ａと、側板部４１ｂ、４２ｂと、上板部４１ｃ、４２ｃと、を有する。側板部４１ｂ、４２ｂの下端には、後方に向かって延びる突出部４１ｄ、４２ｄが設けられている。前板部４１ａ、４２ａの下端には、貫通孔４１ｅ、４２ｅが設けられている。支柱４１、４２は、例えば、貫通孔４１ｅ、４２ｅを介してネジ止めすることにより、下端を当接させた状態で、ベースプレート４３、４４に取り付けられる。
【００４５】
また、前板部４１ａ、４２ａのそれぞれには、２つの長穴４１ｆ、４１ｇ、４２ｆ、４２ｇが設けられている。長穴４１ｆ、４２ｆは、上下方向に延びる。長穴４１ｆ、４２ｆは、大便器１２の取り付けに用いられる。長穴４１ｇ、４２ｇは、長穴４１ｆ、４２ｆの下方に設けられ、上下方向に延びる。長穴４１ｇ、４２ｇは、可動部３６の取り付けに用いられる。
【００４６】
上板部４１ｃ、４２ｃには、貫通孔４１ｈ、４２ｈが設けられている。貫通孔４１ｈ、４２ｈは、可動部３６の取り付けに用いられる。
【００４７】
押さえ板４５〜４８は、略Ｌ字に折り曲げられた板状である。押さえ板４５〜４８は、リベット又はネジなどにより、側板部４１ｂ、４２ｂの下端の突出部４１ｄ、４２ｄに取り付けられている。
【００４８】
押さえ板４５〜４８には、貫通孔が設けられている。また、ベースプレート４３、４４には、押さえ板４５〜４８の各貫通孔と対向する位置に、実質的に同じ形状の貫通孔が設けられている。固定部３４は、ベースプレート４３、４４及び押さえ板４５〜４８の各貫通孔を介して床面ＦＳに固定される。固定部３４は、例えば、各貫通孔にアンカーボルトを挿通することによって、床面ＦＳに固定される。
【００４９】
可動部３６は、一対の枠部５１、５２と、接続部５３と、を有する。枠部５１、５２は、線対称な略同一の形状である。枠部５１、５２は、上下方向に延びる板状であり、前板部５１ａ、５２ａと、上板部５１ｂ、５２ｂと、側板部５１ｃ、５２ｃと、を有する。接続部５３は、枠部５１、５２の下端同士を接続する。これにより、可動部３６は、略矩形の枠状に形成される。可動部３６の左右方向の幅は、固定部３４の各支柱４１、４２の側板部４１ｂ、４２ｂの間の間隔と同程度である。これにより、可動部３６は、側板部４１ｂ、４２ｂの間に入り込む。
【００５０】
前板部５１ａ、５２ａには、２つのネジ穴５１ｄ、５１ｅ、５２ｄ、５２ｅが設けられている。ネジ穴５１ｄ、５２ｄは、可動部３６が側板部４１ｂ、４２ｂの間に入り込んだ状態において、長穴４１ｆ、４２ｆと対向する。ネジ穴５１ｅ、５２ｅは、可動部３６が側板部４１ｂ、４２ｂの間に入り込んだ状態において、長穴４１ｇ、４２ｇと対向する。
【００５１】
上板部５１ｂ、５２ｂには、ネジ穴５１ｆ、５２ｆが設けられている。ネジ穴５１ｆ、５２ｆは、可動部３６が側板部４１ｂ、４２ｂの間に入り込んだ状態において、貫通孔４１ｈ、４２ｈと対向する。
【００５２】
側板部５１ｃ、５２ｃは、枠部５１、５２の上端付近に設けられている。タンク支持部３２は、例えば、側板部５１ｃ、５２ｃにネジ止めされることにより、可動部３６に取り付けられている。このように、タンク支持部３２は、可動部３６を介して便器支持部３０に取り付けられる。タンク支持部３２の可動部３６への取付方法は、上記に限ることなく、任意の方法でよい。
【００５３】
タンク支持部３２は、タンク１４を載置するための載置面３２ａを有する。載置面３２ａは、便器支持部３０に取り付けられた状態において、実質的に水平面である。タンク１４は、例えば、載置面３２ａに載置された状態で下方からネジ止めされることにより、タンク支持部３２に支持される。
【００５４】
図４は、実施形態に係る便器支持部を表す背面図である。  
図４に表したように、便器支持部３０は、一対のボールネジ５５、５６をさらに有する。ボールネジ５５は、支柱４１の上板部４１ｃに設けられた貫通孔４１ｈに挿通されることにより、固定部３４に回転可能に設けられる。同様に、ボールネジ５６は、支柱４２の上板部４２ｃに設けられた貫通孔４２ｈに挿通されることにより、固定部３４に回転可能に設けられる。
【００５５】
ボールネジ５５、５６の一端には、周面にネジが設けられた本体部よりも径を大きくした抜け止め部が設けられている。抜け止め部の径は、貫通孔４１ｈ、４２ｈの径よりも大きい。ボールネジ５５、５６は、貫通孔４１ｈ、４２ｈに挿通された状態で抜け止め部を上板部４１ｃ、４２ｃに係止させる。これにより、ボールネジ５５、５６は、支柱４１、４２に回転可能に支持され、上下方向に延びる。ボールネジ５５、５６は、上板部４１ｃ、４２ｃから下方に延びる。
【００５６】
可動部３６は、枠部５１、５２の上板部５１ｂ、５２ｂに設けられたネジ穴５１ｆ、５２ｆをボールネジ５５、５６に噛み合わせることにより、ボールネジ５５、５６を介して固定部３４に接続される。これにより、可動部３６は、ボールネジ５５、５６の回転に応じて上下方向に移動する。
【００５７】
図５（ａ）及び図５（ｂ）は、実施形態に係る便器支持部及び大便器の一部を表す部分断面図である。  
図４、図５（ａ）、及び図５（ｂ）に表したように、可動部３６の枠部５１、５２の前板部５１ａ、５２ａに設けられたネジ穴５１ｄ、５２ｄには、大便器１２を支持部材１６に取り付けるためのボルト６１、６２が取り付けられる。ボルト６１、６２は、前方に向かって延び、可動部３６がボールネジ５５、５６を介して固定部３４に接続された状態において、長穴４１ｆ、４２ｆに挿通される。また、ボルト６１、６２は、キャビネット１８に設けられた開口に挿通され、キャビネット１８の壁面ＷＳよりも前方に突出する。
【００５８】
大便器１２の後端には、各ボルト６１、６２に対応した貫通孔状の一対の取付穴１２ｃが設けられている。大便器１２は、例えば、壁面ＷＳの前方から各取付穴１２ｃに各ボルト６１、６２を挿通し、前方側から各ボルト６１、６２にナット１２ｄを取り付ける。そして、ナット１２ｄと壁面ＷＳとで大便器１２の一部を挟むように、ナット１２ｄを各ボルト６１．６２に締め込む。これにより、大便器１２が、壁面ＷＳに取り付けられたように、支持部材１６に支持される。
【００５９】
このように、便器支持部３０は、可動部３６において大便器１２を支持する。従って、便器支持部３０では、図５（ａ）及び図５（ｂ）に表したように、ボールネジ５５、５６の回転にともなう可動部３６の上下方向の移動により、長穴４１ｆ、４２ｆの範囲において、大便器１２の床面ＦＳからの高さを調整することができる。これにより、床仕上げ材５の厚さによらず、床仕上げ材５の仕上げ面５ａから大便器１２の上面１２ａまでの高さＨ１を実質的に一定に調整することができる。
【００６０】
また、前述のように、タンク支持部３２は、可動部３６に取り付けられている。これにより、タンク支持部３２は、大便器１２に連動してタンク１４の高さを変化させる。従って、壁掛け大便器ユニット１０では、大便器１２の高さを調整するだけで、タンク１４の高さも調整することができる。大便器１２とタンク１４との間の距離を実質的に一定に保つことができる。
【００６１】
このように、壁掛け大便器ユニット１０では、ボールネジ５５、５６の回転によって大便器１２及びタンク１４の高さを容易に調整することができる。大便器１２及びタンク１４の高さを調整する高さ調整機構は、ボールネジ５５、５６を用いたものに限ることなく、大便器１２及びタンク１４の高さを調整可能な任意の構成でよい。
【００６２】
また、便器支持部３０では、各ボールネジ５５、５６のそれぞれの回転具合を調整することにより、前後方向を軸とする可動部３６の水平を調整することができる。便器支持部３０では、例えば、各ボールネジ５５、５６のそれぞれの回転により、上板部４１ｃから上板部５１ｂまでの距離、及び上板部４２ｃから上板部５２ｂまでの距離を個別に調整することにより、可動部３６の左右方向の傾きを調整することができる。
【００６３】
各ボールネジ５５、５６によって調整可能な可動部３６の傾きの角度は、例えば、基準値に対して±２°程度である。なお、基準値とは、例えば、上板部４１ｃから上板部５１ｂまでの距離と、上板部４２ｃから上板部５２ｂまでの距離と、を実質的に同じにした状態である。
【００６４】
便器支持部３０では、このように可動部３６の前後方向を軸とする水平を調整することにより、可動部３６に取り付けられた大便器１２の水平を調整することができる。同様に、可動部３６の前後方向を軸とする水平を調整することにより、可動部３６に取り付けられたタンク支持部３２の水平を調整することもできる。すなわち、タンク１４の水平を調整することができる。これにより、タンク１４の洗浄性能を担保するための調整を容易に行うことができる。また、この例では、大便器１２の水平の調整とタンク１４の水平の調整とを同時に行うことができる。これにより、例えば、施工性をより向上させることができる。
【００６５】
この例では、前後方向を軸とするタンク支持部３２の水平を調整する水平調整機構が、一対のボールネジ５５、５６によって構成される。すなわち、この例では、水平調整機構と高さ調整機構とが、一対のボールネジ５５、５６によって構成される。換言すれば、高さ調整機構が、水平調整機構を兼ねる。水平調整機構は、高さ調整機構とは別に設けてもよい。水平調整機構は、タンク支持部３２の水平を調整可能な任意の構成でよい。
【００６６】
便器支持部３０では、上記のように高さ及び水平を調整した後、例えば、長穴４１ｇ、４２ｇ、及びネジ穴５１ｅ、５２ｅに対して前方側からネジ６３、６４を挿通することにより、可動部３６を固定部３４にネジ止めする。このように、可動部３６を固定部３４に保持することにより、調整後に大便器１２及びタンク１４の高さや水平状態が変化してしまうことを抑制することができる。
【００６７】
可動部３６の接続部５３には、支持部６５（図２参照）が設けられる。支持部６５は、接続部５３の左右方向の略中央に設けられる。支持部６５は、接続部５３から前方に延び、キャビネット１８に設けられた開口を介して、キャビネット１８の壁面ＷＳよりも前方に突出する。
【００６８】
支持部６５は、図２に表したように、大便器１２が支持部材１６に支持された状態において、大便器１２の後端の下部に当接し、大便器１２の下部を支持する。これにより、一対のボルト６１、６２と、ボルト６１、６２よりも下方の略中央に配置された支持部６５と、によって、大便器１２を３点で支持することができる。これにより、例えば、使用者が大便器１２に腰掛けた際の大便器１２の傾きを抑制することができる。例えば、壁面ＷＳに負荷がかかってしまうことを抑制することができる。支持部６５は、１つに限ることなく、接続部５３などに複数設けてもよい。
【００６９】
図６は、実施形態に係るタンクを表す説明図である。  
図６に表したように、タンク１４は、タンク本体１００と、給水弁ユニット１０２と、駆動ユニット１０４と、ジェットポンプ機構１０６と、を有する。タンク本体１００は、洗浄水を貯水する。給水弁ユニット１０２は、給水源に接続され、タンク本体１００及びジェットポンプ機構１０６への洗浄水の給水及び止水を切り替える。駆動ユニット１０４は、使用者の操作に応じて給水弁ユニット１０２を駆動する。ジェットポンプ機構１０６は、給水弁ユニット１０２からの洗浄水の供給により、タンク本体１００に貯水された洗浄水をジェットポンプ作用を利用して大便器１２に供給する。
【００７０】
給水弁ユニット１０２には、給水管１１０及び給水管１１２が接続されている。給水管１１０は、給水源に接続される。給水管１１０は、例えば、フレキシブル管である。これにより、施工性を向上させることができる。また、給水管１１０には、例えば、一般的なサイズである１５Ａサイズの給水管を用いることができる。これにより、例えば、ロータンク式のトイレ装置からのリモデルの際に、施工性を向上させることができる。
【００７１】
給水弁ユニット１０２と一次側の給水管１１０との間には、給水弁ユニット１０２に供給される洗浄水を定流量にする定流量弁１１４が設けられている。また、給水弁ユニット１０２と二次側の給水管１１２との間には、真空破壊弁１１６が設けられている。真空破壊弁１１６は、外部から空気を吸入することにより、給水管１１２内が負圧にならないようにする。
【００７２】
給水弁ユニット１０２は、パイロット式ダイアフラム弁である主弁体１２０と、この主弁体１２０が着座する主弁座１２２と、内部の圧力により主弁体１２０を主弁座１２２に対して移動させる圧力室１２４と、を有する。主弁体１２０は、主弁座１２２に着座して止水する止水状態と、主弁座１２２から離間して給水する給水状態と、を切り替える。
【００７３】
圧力室１２４は、この圧力室１２４内の圧力を開放する第１穴１２４ａ及び第２穴１２４ｂと、第１穴１２４ａを開閉するポペット弁１２６と、第２穴１２４ｂを開閉するパイロット弁１２８と、を有する。第１穴１２４ａの開口面積は、第２穴１２４ｂの開口面積よりも大きい。また、第１穴１２４ａは、第２穴１２４ｂよりも上方に設けられる。
【００７４】
ポペット弁１２６は、駆動ユニット１０４に接続され、駆動ユニット１０４に駆動されて第１穴１２４ａを開閉する。パイロット弁１２８は、給水フロート１３０に接続されている。給水フロート１３０は、タンク本体１００内の洗浄水の水位にともなって上下動する。パイロット弁１２８は、この給水フロート１３０の上下動に応じて第２穴１２４ｂを開閉する。
【００７５】
主弁体１２０には、図示を省略したブリード穴が設けられている。圧力室１２４は、このブリード穴を介して一次側流路１０２ａと連通している。第１穴１２４ａ及び第２穴１２４ｂを閉塞すると、圧力室１２４内の水圧が、ブリード穴を介して一次側流路１０２ａの水圧と同一になる。また、二次側流路１０２ｂは、大気開放されている。このため、主弁体１２０に水圧が作用する面積の方が、一次側流路１０２ａの面積よりも大きくなるため、主弁体１２０は、主弁座１２２に押し付けられて閉弁する。これにより、第１穴１２４ａ及び第２穴１２４ｂを閉塞すると、止水状態となる。
【００７６】
一方、第１穴１２４ａ及び第２穴１２４ｂを開放すると、圧力室１２４から洗浄水が流出し、圧力室１２４内の圧力が低下する。これにより、主弁体１２０が主弁座１２２から離れるように移動し、開弁して給水状態となる。
【００７７】
駆動ユニット１０４は、駆動部１４０と、伝達機構１４２と、を有する。駆動部１４０は、例えば、ギヤモータなどを内蔵し、リモコンなどからの使用者の操作信号の入力に応じて動作する。伝達機構１４２は、駆動部１４０に接続され、駆動部１４０の駆動力をポペット弁１２６に伝達する。伝達機構１４２は、例えば、回転駆動軸であり、回転駆動力をポペット弁１２６に伝達する。ポペット弁１２６は、駆動部１４０から供給された駆動力により、第１穴１２４ａを開閉する。このように、駆動ユニット１０４は、使用者の操作指示に応じて駆動部１４０を駆動させることにより、第１穴１２４ａの開閉を切り替える。
【００７８】
また、駆動ユニット１０４は、操作レバー１４４を有する。操作レバー１４４は、伝達機構１４２及び非常用の手動操作ユニット１４６に接続されている。手動操作ユニット１４６は、操作部１４６ａと、可動部１４６ｂと、連結部１４６ｃと、を有する。
【００７９】
操作部１４６ａは、キャビネット１８の外側に設けられる。操作部１４６ａは、例えば、使用者による引っ張り操作を可能にするリング状である。可動部１４６ｂは、連結部１４６ｃを介して操作部１４６ａに接続されている。可動部１４６ｂは、使用者による操作部１４６ａの引っ張り操作に応じて可動し、操作レバー１４４に操作駆動力を伝達する。
【００８０】
このように、手動操作ユニット１４６は、操作部１４６ａの操作駆動力を連結部１４６ｃ、可動部１４６ｂ、及び操作レバー１４４を介して伝達機構１４２に伝達することにより、使用者の手動操作に応じてポペット弁１２６による第１穴１２４ａの開閉を切り替えられるようにする。これにより、例えば、停電などの非常時（駆動部１４０が作動しない時）においても、タンク１４から大便器１２に洗浄水を供給することができる。なお、手動操作ユニット１４６の構成及び使用者の操作態様などは、上記に限ることなく、キャビネット１８の外側からポペット弁１２６の開閉を制御可能な任意の構成及び態様でよい。
【００８１】
ジェットポンプ機構１０６は、スロート管１５０と、ジェットノズル１５２と、流路切替部１５４と、を有する。スロート管１５０は、二次側の給水管１１２の下流側に配置される。ジェットノズル１５２は、二次側の給水管１１２の下流側の端部に接続される。ジェットノズル１５２は、スロート管１５０に向けて洗浄水を噴射することにより、ジェットポンプ作用を誘発させる。
【００８２】
流路切替部１５４は、流路切替弁１５４ａと、フロート１５４ｂと、を有する。流路切替弁１５４ａは、ジェットノズル１５２から噴射される洗浄水の進行する方向をスロート管１５０の内部方向に差し向ける流路と、スロート管１５０の外部方向に差し向ける流路と、を切り替える。フロート１５４ｂは、タンク本体１００内に貯水された洗浄水の水位に応じて上下動することにより、流路切替弁１５４ａを作動させる。
【００８３】
スロート管１５０は、下方から斜め上方に延びる上昇管部１５０ａと、この上昇管部１５０ａの上端付近から下方に延びる下降管部１５０ｂと、を有する。スロート管１５０は、概ね逆Ｖ字形状である。スロート管１５０の上昇管部１５０ａの上流側の端部（入口部）には、吸引口１５０ｃが設けられている。吸引口１５０ｃは、タンク本体１００の下部に位置する。
【００８４】
スロート管１５０の下降管部１５０ｂの出口部は、タンク本体１００の底面に設けられた排水口１００ａに接続されている。排水口１００ａは、洗浄管２０に接続される。これにより、タンク本体１００に貯水された洗浄水が、ジェットポンプ機構１０６を介して大便器１２に供給される。
【００８５】
ジェットノズル１５２は、スロート管１５０の吸引口１５０ｃと対向して配置される。スロート管１５０の吸引口１５０ｃ及びジェットノズル１５２は、例えば、通常の使用状態においてタンク本体１００内で常時水没した状態となる。
【００８６】
便器洗浄が開始されると、ジェットポンプ機構１０６は、ジェットノズル１５２からスロート管１５０の吸引口１５０ｃに向けて洗浄水を噴射する。このとき、ジェットノズル１５２に近いスロート管１５０内の吸引口１５０ｃの近傍の空間が負圧となる。この負圧によってジェットポンプ作用（エジェクタ効果）を誘発させることにより、タンク本体１００内の近傍の洗浄水がスロート管１５０に吸引される。ジェットポンプ機構１０６では、ジェットポンプ作用によって吸引された洗浄水とジェットノズル１５２から噴出された洗浄水とが一緒になってスロート管１５０内を流れ、排水口１００ａを経て、大便器１２の導水路（図示せず）に供給される。
【００８７】
なお、本明細書中に記載されている「ジェットポンプ作用」という用語については、ジェットノズル１５２からスロート管１５０の吸引口１５０ｃに向けて噴射される勢いのある洗浄水の流れ自体が、ポンプ等の他の機械要素に依存することなく、直接的にスロート管１５０の吸引口１５０ｃの近傍等の周囲の洗浄水を引き込むような負圧を形成し、この負圧を利用してスロート管１５０内に吸い込んだタンク本体１００内の洗浄水を大便器１２側へ圧送する作用を意味している。
【００８８】
次に、タンク１４の動作について説明する。  
待機状態のタンク１４において、タンク本体１００内の洗浄水の水位は、例えば、図６に表すＷＬ１である。この際、給水弁ユニット１０２において、圧力室１２４の第１穴１２４ａ及び第２穴１２４ｂは、いずれも閉じられており、主弁体１２０は主弁座１２２上に着座し、止水状態となっている。
【００８９】
使用者は、大便器１２の便器洗浄を行う場合、図示を省略したリモコンなどを介して駆動部１４０に便器洗浄の操作信号を入力する。駆動部１４０は、操作信号の入力に応じて動作し、伝達機構１４２を介して駆動力をポペット弁１２６に伝達する。ポペット弁１２６は、駆動部１４０からの駆動力の供給に応じて閉弁状態から開弁状態となり、第１穴１２４ａを開く。
【００９０】
第１穴１２４ａが開くと、給水弁ユニット１０２の主弁体１２０が主弁座１２２から離間して給水状態となる。これにより、外部の給水源から供給された洗浄水が、一次側の給水管１１０、定流量弁１１４、給水弁ユニット１０２、及び二次側の給水管１１２を経てジェットノズル１５２に到達し、ジェットノズル１５２からスロート管１５０の吸引口１５０ｃに向けて洗浄水が噴射される。
【００９１】
スロート管１５０の吸引口１５０ｃからスロート管１５０内に洗浄水が噴射されると、吸引口１５０ｃの付近が負圧となり、タンク本体１００内に貯水された洗浄水もスロート管１５０内に吸引される。そして、給水源から供給された洗浄水とタンク本体１００内の洗浄水とが一緒になってスロート管１５０内を流れ、大便器１２に供給される。これにより、大便器１２の便器洗浄が開始される。
【００９２】
給水弁ユニット１０２から二次側の給水管１１２への洗浄水の供給が開始された直後においては、タンク本体１００内の洗浄水の水位が、水位ＷＬ１の近くであり、流路切替部１５４のフロート１５４ｂは、上昇した状態である。従って、流路切替弁１５４ａは下降し、ジェットノズル１５２の前方側を開放している状態となる。これにより、ジェットノズル１５２から噴射された洗浄水は、スロート管１５０内を流れる。
【００９３】
便器洗浄が継続されると、タンク本体１００内の水位が低下し、給水弁ユニット１０２の給水フロート１３０が下降する。給水フロート１３０の下降が開始されると、パイロット弁１２８が作動し、第２穴５１２４ｂが開く。このとき、第１穴１２４ａは閉鎖状態であるが、第２穴１２４ｂは、給水フロート１３０が再び上昇する状態まで、開状態が保持される。第２穴１２４ｂが開くと、第１穴１２４ａの開閉状態に関係なく、給水弁ユニット１０２における給水状態が継続される。
【００９４】
タンク本体１００内の水位が低下すると、流路切替部１５４のフロート１５４ｂも水位の低下に連動して下降する。そして、タンク本体１００内の水位が水位ＷＬ２まで低下し、フロート１５４ｂも水位ＷＬ２の位置まで下降すると、流路切替弁１５４ａが上昇する。
【００９５】
流路切替弁１５４ａが上昇すると、ジェットノズル１５２から噴射された洗浄水が、流路切替弁１５４ａに遮られる。これにより、ジェットノズル１５２から噴射された洗浄水は、スロート管１５０内に流れることなく、流路切替弁１５４ａによって跳ね返される。すなわち、流路切替弁１５４ａが上昇すると、ジェットノズル１５２から噴射された洗浄水の進行方向が、スロート管１５０の内部方向からスロート管１５０の外部方向へと切り替えられ、タンク本体１００内に貯水される。流路切替弁１５４ａが上昇すると、スロート管１５０に洗浄水が流れなくなり、大便器１２への洗浄水の供給も停止される。
【００９６】
この時、タンク本体１００内の水位は上昇するが、流路切替弁１５４ａは、洗浄水の勢いによって、上昇した状態で保持される。フロート１５４ｂも上昇することなく、その位置に保持される。
【００９７】
一方、給水弁ユニット１０２の給水フロート１３０は、タンク本体１００内の水位の上昇に連動して上昇する。タンク本体１００内の水位が、水位ＷＬ１に到達するまでは、第２穴１２４ｂは開状態のままであり、それにより給水弁ユニット１０２による給水状態が継続される。
【００９８】
そして、タンク本体１００内の水位が上昇して水位ＷＬ１に達すると、給水弁ユニット１０２の給水フロート１３０も水位ＷＬ１の位置まで上昇し、給水弁ユニット１０２において、パイロット弁１２８が作動し、第２穴１２４ｂが閉じられる。これにより、圧力室１２４の圧力が一次側流路圧力となり、主弁体１２０が主弁座１２２に向けて移動し、最終的に閉弁された状態（止水状態）となる。給水弁ユニット１０２が止水状態となり、タンク本体１００内への給水が終了し、便器洗浄が終了する。
【００９９】
このように、タンク１４では、給水源から供給された洗浄水とタンク本体１００内に貯水された洗浄水とが、一緒になって大便器１２に供給される。従って、タンク１４では、例えば、重力のみを利用して洗浄水を大便器１２に供給するタンク（いわゆるロータンク）に比べて、予めタンク本体１００内に溜めておく洗浄水の容量を少なくすることができる。例えば、ロータンクの貯水容量が１３リットル程度であるのに対し、タンク１４では、４．８リットル程度に抑えることができる。
【０１００】
これにより、タンク１４では、ロータンクに比べて、小型化することができる。例えば、タンク１４の高さを抑え、キャビネット１８をコンパクトすることができる。また、タンク１４の重量を抑え、支持部材１６によって支持し易くすることができる。例えば、高さ調整などにおける施工性を向上させることができる。
【０１０１】
また、ジェットポンプ機構１０６を有するタンク１４では、電力などを必要とすることなく、給水源の給水圧を利用してタンク本体１００に貯水された洗浄水を吸引することにより、給水源から供給される洗浄水の流量よりも大便器１２に供給する洗浄水の流量を増幅させることができる。
【０１０２】
さらに、タンク１４では、貯水容量を抑えることにより、ロータンクに比べて、タンク本体１００内への給水に必要となる時間を短くすることができる。すなわち、便器洗浄を行った後、次の便器洗浄を開始できるようにするまでの時間を短くすることができる。
【０１０３】
なお、タンク１４は、ジェットポンプ機構１０６を有するタンクに限ることなく、重力のみを利用して大便器１２に洗浄水を供給するタンク（ロータンク）などでもよい。
【０１０４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、壁掛け大便器ユニット１０及び支持部材１６などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０５】
５ 床仕上げ材、  ５ａ 仕上げ面、  １０ 壁掛け大便器ユニット、  １２ 大便器、  １４ タンク、  １６ 支持部材、  １８ キャビネット、  ２０ 洗浄管、  ３０ 便器支持部、  ３２ タンク支持部、  ３４ 固定部、  ３６ 可動部、  ４１、４２ 支柱、  ４３、４４ ベースプレート、  ４５〜４８ 押さえ板、  ５１、５２ 枠部、  ５３ 接続部、  ５５、５６ ボールネジ、  ６１、６２ ボルト、  ６３、６４ ネジ、  ６５ 支持部、  １００ タンク本体、  １０２ 給水弁ユニット、  １０４ 駆動ユニット、  １０６ ジェットポンプ機構、  １１０、１１２ 給水管、  １１４ 定流量弁、  １１６ 真空破壊弁、  １２０ 主弁体、  １２２ 主弁座、  １２４ 圧力室、  １２６ ポペット弁、  １２８ パイロット弁、  １３０ 給水フロート、  １４０ 駆動部、  １４２ 伝達機構、  １４４ 操作レバー、  １４６ 手動操作ユニット、  １４６ａ 操作部、  １４６ｂ 可動部、  １４６ｃ 連結部、  １５０ スロート管、  １５２ ジェットノズル、  １５４ 流路切替部、  ＦＳ 床面、  ＷＳ 壁面
【図１】
2017133288.tif 000003
【図２】
2017133288.tif 000004
【図３】
2017133288.tif 000005
【図４】
2017133288.tif 000006
【図５】
2017133288.tif 000007
【図６】
2017133288.tif 000008
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
床面から浮いた状態で大便器を設置する壁掛け大便器ユニットであって、
大便器と、
前記大便器に洗浄水を供給するタンクと、
前記大便器を支持する便器支持部と、前記タンクを支持するタンク支持部と、を有する支持部材と、
を備え、
前記便器支持部は、前後方向を軸とする前記タンク支持部の水平を調整する水平調整機構を有し、前記床面からの高さを調整可能に前記大便器を支持し、
前記タンク支持部は、前記便器支持部に設けられ、前記大便器に連動して前記タンクの高さを変化させ、前記大便器と前記タンクとの間の距離を一定に保つことを特徴とする壁掛け大便器ユニット。
【請求項２】
床面から浮いた状態で大便器を設置する壁掛け大便器ユニットであって、
大便器と、
前記大便器に洗浄水を供給するタンクと、
前記大便器を支持する便器支持部と、前記タンクを支持するタンク支持部と、を有する支持部材と、
を備え、
前記便器支持部は、前記床面に固定される固定部と、前記固定部に回転可能に設けられたボールネジと、前記ボールネジを介して前記固定部に接続された可動部と、を有し、前記床面からの高さを調整可能に前記大便器を支持し、
前記ボールネジは、上下方向に延び、
前記可動部は、前記ボールネジの回転に応じて上下方向に移動し、
前記便器支持部は、前記可動部において前記大便器を支持し、前記ボールネジの回転にともなう前記可動部の上下方向の移動により、前記大便器の前記床面からの高さを調整可能とし、
前記タンク支持部は、前記便器支持部に設けられ、前記可動部に取り付けられることにより、前記大便器に連動して前記タンクの高さを変化させ、前記大便器と前記タンクとの間の距離を一定に保つことを特徴とする壁掛け大便器ユニット。
【請求項３】
前記タンク及び前記支持部材を収納するキャビネットをさらに備えたことを特徴とする請求項１又は２に記載の壁掛け大便器ユニット。
【請求項４】
前記タンクは、洗浄水を貯水するタンク本体と、前記タンク本体に貯水された洗浄水をジェットポンプ作用を利用して前記大便器に供給するジェットポンプ機構と、を有することを特徴とする請求項１〜３のいずれか１つに記載の壁掛け大便器ユニット。
【請求項５】
床面から浮いた状態で大便器を設置する壁掛け大便器ユニットに用いられる支持部材であって、
大便器を支持する便器支持部と、
前記大便器に洗浄水を供給するタンクを支持するタンク支持部と、
を備え、
前記便器支持部は、前後方向を軸とする前記タンク支持部の水平を調整する水平調整機構を有し、前記床面からの高さを調整可能に前記大便器を支持し、
前記タンク支持部は、前記便器支持部に設けられ、前記大便器に連動して前記タンクの高さを変化させ、前記大便器と前記タンクとの間の距離を一定に保つことを特徴とする支持部材。
【請求項６】
床面から浮いた状態で大便器を設置する壁掛け大便器ユニットに用いられる支持部材であって、
大便器を支持する便器支持部と、
前記大便器に洗浄水を供給するタンクを支持するタンク支持部と、
を備え、
前記便器支持部は、前記床面に固定される固定部と、前記固定部に回転可能に設けられたボールネジと、前記ボールネジを介して前記固定部に接続された可動部と、を有し、前記床面からの高さを調整可能に前記大便器を支持し、
前記ボールネジは、上下方向に延び、
前記可動部は、前記ボールネジの回転に応じて上下方向に移動し、
前記便器支持部は、前記可動部において前記大便器を支持し、前記ボールネジの回転にともなう前記可動部の上下方向の移動により、前記大便器の前記床面からの高さを調整可能とし、
前記タンク支持部は、前記便器支持部に設けられ、前記可動部に取り付けられることにより、前記大便器に連動して前記タンクの高さを変化させ、前記大便器と前記タンクとの間の距離を一定に保つことを特徴とする支持部材。
【手続補正２】
【補正対象書類名】明細書
【補正対象項目名】００１０
【補正方法】変更
【補正の内容】
【００１０】
第１の発明は、床面から浮いた状態で大便器を設置する壁掛け大便器ユニットであって、大便器と、前記大便器に洗浄水を供給するタンクと、前記大便器を支持する便器支持部と、前記タンクを支持するタンク支持部と、を有する支持部材と、を備え、前記便器支持部は、前後方向を軸とする前記タンク支持部の水平を調整する水平調整機構を有し、前記床面からの高さを調整可能に前記大便器を支持し、前記タンク支持部は、前記便器支持部に設けられ、前記大便器に連動して前記タンクの高さを変化させ、前記大便器と前記タンクとの間の距離を一定に保つことを特徴とする壁掛け大便器ユニットである。
【手続補正３】
【補正対象書類名】明細書
【補正対象項目名】００１１
【補正方法】変更
【補正の内容】
【００１１】
この壁掛け大便器ユニットによれば、大便器とタンクとの間の距離を実質的に一定に保つことができるので、洗浄性能を担保することができる。また、大便器の高さの調整に連動してタンクの高さが変化するので、大便器の高さを調整するだけでよく、大便器の高さとタンクの高さとを別々に調整する場合に比べて、施工性を向上させることができる。従って、大便器の高さを調整可能にした場合にも、洗浄性能を担保しつつ、施工性を向上させることができる。また、タンクの洗浄性能を担保するための調整を容易に行うことができる。
【手続補正４】
【補正対象書類名】明細書
【補正対象項目名】００１２
【補正方法】変更
【補正の内容】
【００１２】
第２の発明は、床面から浮いた状態で大便器を設置する壁掛け大便器ユニットであって、大便器と、前記大便器に洗浄水を供給するタンクと、前記大便器を支持する便器支持部と、前記タンクを支持するタンク支持部と、を有する支持部材と、を備え、前記便器支持部は、前記床面に固定される固定部と、前記固定部に回転可能に設けられたボールネジと、前記ボールネジを介して前記固定部に接続された可動部と、を有し、前記床面からの高さを調整可能に前記大便器を支持し、前記ボールネジは、上下方向に延び、前記可動部は、前記ボールネジの回転に応じて上下方向に移動し、前記便器支持部は、前記可動部において前記大便器を支持し、前記ボールネジの回転にともなう前記可動部の上下方向の移動により、前記大便器の前記床面からの高さを調整可能とし、前記タンク支持部は、前記便器支持部に設けられ、前記可動部に取り付けられることにより、前記大便器に連動して前記タンクの高さを変化させ、前記大便器と前記タンクとの間の距離を一定に保つことを特徴とする壁掛け大便器ユニットである。
【手続補正５】
【補正対象書類名】明細書
【補正対象項目名】００１３
【補正方法】変更
【補正の内容】
【００１３】
この壁掛け大便器ユニットによれば、大便器とタンクとの間の距離を実質的に一定に保つことができるので、洗浄性能を担保することができる。また、大便器の高さの調整に連動してタンクの高さが変化するので、大便器の高さを調整するだけでよく、大便器の高さとタンクの高さとを別々に調整する場合に比べて、施工性を向上させることができる。従って、大便器の高さを調整可能にした場合にも、洗浄性能を担保しつつ、施工性を向上させることができる。また、ボールネジの回転によって大便器及びタンクの高さを容易に調整することができる。
【手続補正６】
【補正対象書類名】明細書
【補正対象項目名】００１４
【補正方法】変更
【補正の内容】
【００１４】
第３の発明は、第１又は第２の発明において、前記タンク及び前記支持部材を収納するキャビネットをさらに備えたことを特徴とする壁掛け大便器ユニットである。
【手続補正７】
【補正対象書類名】明細書
【補正対象項目名】００１５
【補正方法】変更
【補正の内容】
【００１５】
この壁掛け大便器ユニットによれば、大便器及びタンクの高さを調整する機構が、キャビネット内に設けられるので、イタズラなどで大便器及びタンクの高さが変えられてしまうことを抑制することができる。
【手続補正８】
【補正対象書類名】明細書
【補正対象項目名】００１６
【補正方法】変更
【補正の内容】
【００１６】
第４の発明は、第１〜第３の発明のいずれか１つにおいて、前記タンクは、洗浄水を貯水するタンク本体と、前記タンク本体に貯水された洗浄水をジェットポンプ作用を利用して前記大便器に供給するジェットポンプ機構と、を有することを特徴とする壁掛け大便器ユニットである。
【手続補正９】
【補正対象書類名】明細書
【補正対象項目名】００１７
【補正方法】変更
【補正の内容】
【００１７】
この壁掛け大便器ユニットによれば、例えば、重力のみを利用して洗浄水を供給するタンクに比べて、貯水する洗浄水の容量を少なくすることができ、タンクを小型化することができる。これにより、例えば、タンクの高さを抑え、キャビネットをコンパクトすることができる。
【手続補正１０】
【補正対象書類名】明細書
【補正対象項目名】００１８
【補正方法】変更
【補正の内容】
【００１８】
第５の発明は、床面から浮いた状態で大便器を設置する壁掛け大便器ユニットに用いられる支持部材であって、大便器を支持する便器支持部と、前記大便器に洗浄水を供給するタンクを支持するタンク支持部と、を備え、前記便器支持部は、前後方向を軸とする前記タンク支持部の水平を調整する水平調整機構を有し、前記床面からの高さを調整可能に前記大便器を支持し、前記タンク支持部は、前記便器支持部に設けられ、前記大便器に連動して前記タンクの高さを変化させ、前記大便器と前記タンクとの間の距離を一定に保つことを特徴とする支持部材である。
【手続補正１１】
【補正対象書類名】明細書
【補正対象項目名】００１９
【補正方法】変更
【補正の内容】
【００１９】
この支持部材によれば、大便器とタンクとの間の距離を実質的に一定に保つことができるので、洗浄性能を担保することができる。また、大便器の高さの調整に連動してタンクの高さが変化するので、大便器の高さを調整するだけでよく、大便器の高さとタンクの高さとを別々に調整する場合に比べて、施工性を向上させることができる。従って、大便器の高さを調整可能にした場合にも、洗浄性能を担保しつつ、施工性を向上させることができる。また、タンクの洗浄性能を担保するための調整を容易に行うことができる。
【手続補正１２】
【補正対象書類名】明細書
【補正対象項目名】００２０
【補正方法】変更
【補正の内容】
【００２０】
第６の発明は、床面から浮いた状態で大便器を設置する壁掛け大便器ユニットに用いられる支持部材であって、大便器を支持する便器支持部と、前記大便器に洗浄水を供給するタンクを支持するタンク支持部と、を備え、前記便器支持部は、前記床面に固定される固定部と、前記固定部に回転可能に設けられたボールネジと、前記ボールネジを介して前記固定部に接続された可動部と、を有し、前記床面からの高さを調整可能に前記大便器を支持し、前記ボールネジは、上下方向に延び、前記可動部は、前記ボールネジの回転に応じて上下方向に移動し、前記便器支持部は、前記可動部において前記大便器を支持し、前記ボールネジの回転にともなう前記可動部の上下方向の移動により、前記大便器の前記床面からの高さを調整可能とし、前記タンク支持部は、前記便器支持部に設けられ、前記可動部に取り付けられることにより、前記大便器に連動して前記タンクの高さを変化させ、前記大便器と前記タンクとの間の距離を一定に保つことを特徴とする支持部材である。
【手続補正１３】
【補正対象書類名】明細書
【補正対象項目名】００２１
【補正方法】変更
【補正の内容】
【００２１】
この支持部材によれば、大便器とタンクとの間の距離を実質的に一定に保つことができるので、洗浄性能を担保することができる。また、大便器の高さの調整に連動してタンクの高さが変化するので、大便器の高さを調整するだけでよく、大便器の高さとタンクの高さとを別々に調整する場合に比べて、施工性を向上させることができる。従って、大便器の高さを調整可能にした場合にも、洗浄性能を担保しつつ、施工性を向上させることができる。また、ボールネジの回転によって大便器及びタンクの高さを容易に調整することができる。